(57)【特許請求の範囲】
【請求項１】
内視鏡の挿入部先端部に着脱自在なフード部材を装着するためのフード部材装着具において、
前記フード部材の位置を規制するフード部材規制手段と、
前記挿入部先端部の位置を規制する先端部規制手段と、
を具備し、前記フード部材を前記挿入部先端部に装着する場合に、前記挿入部先端部に対する前記フード部材の装着位置を規制することを特徴とするフード部材装着具。
【請求項２】
前記フード部材規制手段は、前記フード部材の軸方向の位置を規制するフード部材軸方向規制部を有し、前記先端部規制手段は前記挿入部先端部の前記軸方向の位置を規制する先端部軸方向規制部を有することを特徴とする請求項１に記載のフード部材装着具。
【請求項３】
前記フード部材規制手段は、前記フード部材の回転方向の位置を規制するフード部材回転方向規制部を有し、前記先端部規制手段は前記挿入部先端部の前記回転方向の位置を規制する先端部回転方向規制部を有することを特徴とする請求項１又は２に記載のフード部材装着具。
【発明の詳細な説明】
【０００１】
【発明の属する技術分野】
本発明は、内視鏡挿入部の先端部にフード部材を装着するときに用いるフード部材装着具に関する。
【０００２】
【従来の技術】
従来、手術に用いる内視鏡装置の一例として、内視鏡の挿入部の先端部に対物レンズ、ライトガイド、空気・水送り口及び吸引口を配設して形成したものがある。このような内視鏡装置では、ライトガイドから生体組織等の被写体に光を当て、この光を当てた被写体を対物レンズを介して視認し、空気・水送り口より送出した空気或いは水やその他の物質を吸引口で吸引し得るようになっている。
【０００３】
ところで、例えば胃に内視鏡を挿入しようとすると、胃の粘膜が内視鏡の挿入部の先端部に設けた対物レンズに覆い被さるように接触して、先が見えなくなる場合が多々あった。
【０００４】
このことに対応して、特開平１１−２０６７０２号公報には、内視鏡の挿入部の先端部に、粘膜が対物レンズに覆い被さり視野を失うことを防止するためのガイド部を設けた内視鏡の先端構造が開示されている。この内視鏡の先端構造のガイド部は、フード状の部材となっており、内周面が先端部の先端面からアールを描いて拡開状に形成されている。
【０００５】
しかしながら、特開平１１−２０６７０２号公報に記載の構造では、ガイド部の突出が長いと、対物レンズがガイド部に近接している場合や、近年普及してきている視野角が広角で観察視野の形状が非円形で視野角が方向によって異なるビデオスコープの場合には、視野にガイド部が見えてしまい観察性能が低下していた。逆に、ガイド部が視野に入らないようにガイド部の突出長を短くすると、粘膜が対物レンズに覆い被さるのを防止するという効果が十分得られず、挿入性、観察性能が低下していた。
【０００６】
【発明が解決しようとする課題】
フード部材を内視鏡の先端部に着脱自在に設けた内視鏡装置では、フード部材を内視鏡の先端部に装着する際に先端部のフード部材への押し込み量が足らなかった場合、フード部材が正規の位置より突出して、観察視野にフード部材が見える量が多くなる。逆に、フード部材を正規の位置よりも突出長が短くなるように装着した場合には、フード部材の効果が落ちてしまう。これを防止するために、フード部材に軸方向の位置決め部を設けたものでも、フード部材が軟性の材質で形成されている場合には、装着の際に位置決め部が変形してしまい、正規の位置に装着できない場合が多々あった。
【０００７】
また、フード部材を内視鏡の先端部に着脱自在に形成した内視鏡装置では、フード部材が視野に合わせた形状に形成されている場合に、フード部材の回転方向が正規の位置と異なる位置に装着される虞れがあり、観察視野にフード部材が入る量が多くなることがあった。
【０００８】
このような問題を解決するために、内視鏡挿入部の先端部にフード部材の位置決め機構を設けると、内視鏡挿入部の先端部が複雑化、大型化してしまうという問題がある。
【０００９】
本発明は、上記事情に鑑みてなされたものであり、内視鏡の挿入部の先端部に容易且つ正確にフード部材を装着できるようにしたフード部材装着具の提供を目的とする。
【００１０】
【課題を解決するための手段】
前記目的を達成するため請求項１に記載のフード部材装着具は、内視鏡の挿入部先端部に着脱自在なフード部材を装着するためのフード部材装着具において、前記フード部材の位置を規制するフード部材規制手段と、前記挿入部先端部の位置を規制する先端部規制手段と、を具備し、前記フード部材を前記挿入部先端部に装着する場合に、前記挿入部先端部に対する前記フード部材の装着位置を規制することを特徴とする。
【００１１】
請求項２に記載のフード部材装着具は、前記フード部材規制手段が、前記フード部材の軸方向の位置を規制するフード部材軸方向規制部を有し、前記先端部規制手段は前記挿入部先端部の前記軸方向の位置を規制する先端部軸方向規制部を有することを特徴とする。
【００１２】
請求項３に記載の内視鏡装置は、前記フード部材規制手段が、前記フード部材の回転方向の位置を規制するフード部材回転方向規制部を有し、前記先端部規制手段は前記挿入部先端部の前記回転方向の位置を規制する先端部回転方向規制部を有することを特徴とする。
【００１３】
【発明の実施の形態】
以下、本発明の実施の形態を図面を参照して説明する。
（第１の実施の形態）
図１ないし図６は本発明の第１の実施の形態に係り、図１に内視鏡装置の全体構成を示す説明図、図２は内視鏡の先端部の断面図、図３は内視鏡の先端部の正面図、図４は内視鏡の先端部に着脱自在に接続されるフード部材を示す側面図、図５はモニタに表示される観察画像を示す平面図、図６は図５の観察画像を表示する場合の観察視野領域を示す説明図である。
【００１４】
（構成）
図１に内視鏡装置の全体構成を示す。
図１に示すように、内視鏡装置１は、内視鏡２と、光源装置３と、ビデオプロセッサ５と、モニタ６とから構成されている。
【００１５】
内視鏡２は後述の撮像手段を備えている。光源装置３は、内視鏡２に着脱自在に接続されて、内視鏡２に設けられたライトガイドに照明光を供給する。ビデオプロセッサ５は、信号ケーブル４を介して内視鏡２と接続されて内視鏡２の撮像手段を制御すると共に、撮像手段から得られた信号を処理する。モニタ６は、ビデオプロセッサ５から出力される被写体像に対応する映像を表示する。
【００１６】
内視鏡２は、挿入部７と、操作部８と、連結コード９と、コネクタ部１０と、電気コネクタ部１１とを有している。
【００１７】
挿入部７は、可撓性を有し細長に形成されている。操作部８は、挿入部７の基端側に接続されている。連結コード９は、可撓性を有し、操作部８の側部から延出する。コネクタ部１０は、連結コード９の端部に設けられ、前記光源装置３と着脱自在の状態で接続されるようになっている。電気コネクタ部１１は、コネクタ部１０の側部に設けられ、前記ビデオプロセッサ５に接続された前記信号ケーブル４が着脱自在の状態で接続可能になっている。
【００１８】
電気コネクタ部１１には内視鏡２の内部と外部とを連通する図示しない通気部が設けられている。
【００１９】
挿入部７と操作部８の接続部には、この接続部の急激な曲がりを防止する弾性部材を有する挿入部側折れ止め部材１２が設けられている。操作部８と連結コード９の接続部にも挿入部側折れ止め部材１２と同様の操作部側折れ止め部材１３が設けられている。さらに、連結コード９とコネクタ部１０の接続部にも挿入部側折れ止め部材１２と同様のコネクタ部側折れ止め部材１４が設けられている。
【００２０】
挿入部７は、基端側から順に、可撓管部１５、湾曲部１６、先端部１７を連結して構成したものである。
【００２１】
可撓管部１５は可撓性を有し柔軟に形成されている。湾曲部１６は、可撓管部１５の先端側に設けられ、操作部８の操作により湾曲可能になっている。先端部１７は、先端に設けられた後述の観察光学系、照明光学系などが配設されている。
【００２２】
図２及び図３に示すように、先端部１７には、空気・水送り口であるところの送気送水ノズル１８と、吸引口１９と、送液口２０と、観察光学系３４と、照明光学系３５とが設けられている。
【００２３】
送気送水ノズル１８は、観察光学系３４の外表面の光学部材に向けて洗浄液体や気体を噴出する。吸引口１９は、挿入部７に配設された処置具を挿通したり体腔内の液体を吸引するための処置具チャンネルの先端側の開口部である。送液口２０は、観察対象物に向けて開口しており、観察対象物に向けてた液体を噴出するための開口部になっている。
【００２４】
図１に示すように、コネクタ部１０には、気体供給口金２１と、送水タンク加圧口金２３と、液体供給口金２４と、吸引口金２５と、注入口金２６と、アース端子口金２７とが設けられている。
【００２５】
気体供給口金２１は、光源装置３に内蔵された図示しない気体供給源と着脱自在に接続するようになっている。送水タンク加圧口金２３及び液体供給口金２４は、液体供給源である送水タンク２２と着脱自在に接続するようになっている。吸引口金２５は、図３に示した前記吸引口１９より吸引を行うための図示しない吸引源と接続するようになっている。注入口金２６は図３に示した送液口２０より送水を行うための図示しない送水手段と接続するようになっている。アース端子口金２７は、高周波処置等を行うことにより内視鏡２に高周波漏れ電流が発生した場合に、漏れ電流を高周波処置装置に帰還させる。
【００２６】
操作部８には、送気送水操作ボタン２８と、吸引操作ボタン２９と、湾曲操作ノブ３０と、複数のリモートスイッチ３１と、処置具挿入口３２とが設けられている。
【００２７】
送気送水操作ボタン２８は、送気操作または送水操作を行う場合の操作部であり、術者が押圧することにより図３に示した送気送水ノズル１８から送気または送水が行えるようになっている。吸引操作ボタン２９は、吸引操作を行う場合の操作部であり、術者が押圧することにより図３に示した吸引口１９による吸引が行えるようになってている。湾曲操作ノブ３０は、前記湾曲部１６の湾曲操作を行うための操作部になっている。複数のリモートスイッチ３１は、前記ビデオプロセッサ５を遠隔操作するための操作部になっている。処置具挿入口３２は前記処置具チャンネルに連通した基端側の開口である。
【００２８】
また、内視鏡２の電気コネクタ部１１には電気コネクタ部１１を液密にシールするための防水キャップ３３が着脱自在に接続可能である。
【００２９】
次に本発明の要部となるフード部材３７について説明する。
図２及び図３に示すように、内視鏡２の挿入部７の先端部１７には、フード部材３７が着脱自在の状態で接続されている。
【００３０】
即ち、フード部材３７は、先端部１７に固定された状態で、前記先端部１７の先端面に露出した観察光学系３４の最先端レンズが体腔内壁に直接当接するのを防止し、内視鏡２の視野が失われるのを防止するためのものである。
【００３１】
フード部材３７は、シリコンゴムやフッ素ゴム等の加硫ゴム、ウレタン系エラストマー、アクリル系エラストマー、オレフイン系エラストマー等の熱可塑性エラストマー等の軟性部材やポリサルフォン等の硬質樹脂により形成することが可能である。本実施の形態では、フード部材３７は、軟性部材から形成している。
【００３２】
フード部材３７は、突出部３８と、内視鏡固定部３９とを有する。
突出部３８は、花弁状に形成されており、先端部１７より視野前方の方向に突出している。内視鏡固定部３９は、筒状に形成され、この突出部３８の基端側に設けられている。
【００３３】
内視鏡固定部３９の内径は先端部１７の外径と略同一若しくは若干小さく形成されるとともに、弾性変形可能な状態で形成されている。これにより、内視鏡固定部３９は、先端部１７が圧入可能になっている。
【００３４】
内視鏡固定部３９の基端部外周には、テーパ部４５が設けられている。テーパ部４５は、基端部の段差を少なくすると共に、基端部を薄くして弾性変形し易くすることにより、内視鏡固定部３９に対する先端部１７の圧入が容易に行えるようにしている。
【００３５】
圧入の際の締め率は、検査における体腔壁との摩擦によっては外れず、着脱の際には容易に着脱可能な固定強度になるように構成している。具体的には装脱力量が５〜２０Ｎ程度に設定している。
【００３６】
内視鏡固定部３９の長さは、先端部１７に装着した際に内視鏡固定部３９の端部が、湾曲部１６の最も先端側の回動ピン３６の位置にかからない長さの範囲でできるだけ長く形成されている。これにより、内視鏡固定部３９は、湾曲部１６の湾曲動作に影響を与えない範囲で極力先端部１７との嵌合長を長くすることで固定を確実にしている。
【００３７】
内視鏡固定部３９と突出部３８との間には、先端部１７の外径よりも小さな径に突出した先端部当接部４０が設けられている。
【００３８】
先端部１７の先端面は、先端部当接部４０に当接し、先端部１７とフード部材３７との軸方向の位置決めが行えるようになっている。尚、先端部当接部４０は全周ではなく一部にあればよい。
【００３９】
図３に示すように、先端部当接部４０には一部に内側に突出した回転方向位置決め部４１が設けられている。
【００４０】
回転方向位置決め部４１には凹状に切り欠かれたノズル係合溝４２が設けられている。ノズル係合溝４２には送気送水ノズル１８が係合し、この係合により先端部１７とフード部材３７との軸方向を回転中心とする回転方向の位置決めがなされている。
【００４１】
突出部３８の内周面側には、先端部当接部４０から突出部３８の先端側に向かって拡径するすりばち状のスロープ部４４が設けられている。これにより、突出部３８の内周面側では、先端部１７の表面に付着した水や体液、汚物などが突出部３８の外部へ流れ易く、これらが溜まり難いようになっている。
【００４２】
図３及び図４に示すように、突出部３８の先端縁部４３は、観察画像への先端縁部４３の見えが極力少なくなるように、観察光学系３４の観察視野領域に対応した形状に形成されている。
【００４３】
図５に示すように、モニタ６に表示される観察画像４６は略四角形の形状をしている。
【００４４】
このような観察画像４６を表示する場合の観察視野領域を図６に示す。
面Ａ１は、図３に示した観察光学系３４の最先端レンズ面を示し、面Ｂ１はこのレンズ面から約４ｍｍ先端側の仮想面である。
【００４５】
面Ａ１上での観察視野範囲は領域ａ１であり、面Ｂ１上での観察視野範囲は領域ｂ１である。
【００４６】
そして領域ａ１と領域ｂ１で挟まれた空間が、観察視野領域４７となる。
このとき観察視野領域４７の側方面は光線の集合から形成される斜面４８となる。
【００４７】
図５に示すように、観察画像４６における対辺方向の長さＬ１よりも対角方向の長さＬ２の方が長いため、対角方向の視野角の方が大きくなる。
【００４８】
又、内視鏡２に通常使用される観察光学系３４ではその特性上、光学系の収差によって中心よりも遠い位置ほど、像が圧縮される度合いが大きい。
【００４９】
このため、図５に示す観察画像４６の形状の場合、図６に示すように領域ｂ１の形状は観察画像４６と同一の形状とはならず、対角方向Ｘの領域が大きくなる。このことから斜面４８の形状には偏りがある。
【００５０】
図２及び図４に示すように、先端縁部４３はこの斜面４８に対応した形状に形成されており、図上、上側の先端縁部４３や、図３に示す斜線部で示した部分４３ａにはそれぞれの位置における図６に示した斜面４８の形状と略同一の形状に形成されるか、若しくは、図２及び図４に示すように、斜面４８の形状を微少量オフセットした位置に斜面部４９が形成されている。
【００５１】
尚、図３及び図４に示すように、先端縁部４３は前述した斜面４８の形状を反映して凹凸のある形状になっている。この場合、先端縁部４３は、Ａ部、Ｂ部、Ｃ部、Ｄ部が凸状となり、Ｅ部、Ｆ部、Ｇ部、Ｈ部が凹状となっている。
【００５２】
尚、突出部３８に凹部があり、凹凸が生じる場合は、観察光学系３４の近傍には凸部として突出長を長くすることが望ましい。又、凸部は３つ以上あることが望ましい。
【００５３】
凹部であるＥ部、Ｆ部、Ｇ部、Ｈ部においては前記スロープ部４４が斜面４８と連接しており、外側に向けた開口となっている。突出部３８内部に入ってしまう粘液、汚物や、送気送水ノズル１８から送水された水等はスロープ部４４を介してこれらの凹部から突出部３８の外部に排出される。これにより、汚物や粘液等によって視野が遮られることがない。
【００５４】
図４に示すように、先端縁部４３の外周側の縁部はＲ０．３〜１ｍｍ程度の面取り７１が形成されている。斜面部４９の先端側端部にもＲ０．３〜１ｍｍ程度の面取り７２が形成されている。
【００５５】
図２に示すように、観察光学系３４の観察深度は４ｍｍ〜１００ｍｍに設定されており、観察光学系３４の最先端レンズからの先端縁部４３の突出量が最も大きい位置における突出量Ｌ０は、この深度の最小値（近点）と略同等か、若しくはこの値よりも長く形成されている。本実施の形態では先端縁部４３は突出量Ｌ０が約４ｍｍとなるように突出して形成されている。
【００５６】
このような構造により、本実施の形態の内視鏡装置１は、内視鏡２の挿入部７の先端部１７に、前記内視鏡２の観察視野方向に突出する突出部３８を有するフード部材３７を設け、前記内視鏡２の観察画像４６の形状が非円形になっている。
【００５７】
また、内視鏡装置１は、前記突出部３８の先端縁部４３に前記内視鏡２の観察視野領域４７に対応した形状の斜面部４９を形成している。
【００５８】
（作用）
フード部材が透明の場合、照明光がフード部材によって遮られることがないので照明性能が良い。
【００５９】
フード部材は黒色でも良い。この場合は突出部を照明光学系の出射光の照射領域に合わせて、前記観察視野領域と同様に、突出部に切り欠き及び斜面部を設ければ良い。
【００６０】
黒色の場合は透明のものに比べて、照明光がフード部材の内壁で反射しないため、処置具を使用した時などに生じるハレーションが防止できる。
【００６１】
又、適用可能な内祝鏡とフード部材で色を合わせ、適用できないものでは色を変えても良い。又、先端部とフード部材を取り外しを容易にするためにこれらの色を異ならせて、それぞれを認識し易くしても良い。
【００６２】
尚、フード部材にこれが適用可能な内視鏡の機種名や内視鏡の先端部の外径を表示しても良い。
【００６３】
尚、突出部の突出量は２ｍｍ〜１０ｍｍ程度に設定できる。
図７及び図８は第１の実施の形態の突出部３８の作用を説明する説明図である。
【００６４】
図７において、実線には本実施の形態の突出部３８の形状を示し、破線には突出部３８の突出長を確保したままで、斜面部４９を設けずに面取り７１、７２の形状を形成する場合の突出部３８の形状を示している。破線に示すように突出部３８を形成した場合、突出部３８は肉厚が薄くなってしまう。
【００６５】
即ち、本実施の形態では、観察視野領域４８に対応した斜面部４９を設けたことで、突出部３８の突出長を短くせずに、突出部３８の肉厚を大きく形成している。これにより、本実施の形態では、突出部３８を破損し難くすることができ、突出部３８が複数の切り欠き形状を有していても、突出部３８が体腔内壁に押し当てられた際に変形するのを防止できる。また、本実施の形態では、面取り７１、７２を大きく形成できるため、挿入性が向上する。
【００６６】
図８において、実線には本実施の形態の突出部３８の形状を示し、破線には突出部３８に斜面部４９を設けずに、肉厚を確保した場合の形状を示している。破線に示すように突出部３８を形成した場合、突出部３８は突出長が短くなってしまう。
【００６７】
即ち、本実施の形態では、外径を大径化せずに突出部３８の突出長を長くすることができ、フードの性能が向上する。
【００６８】
又、粘膜が先端縁部４３に当接し、視野の全体を覆ってしまった状態でも、図２に示した先端縁部４３の突出量Ｌ０を観察光学系３４の観察深度の近点の値よりも大きくすることで、観察光学系３４は、先端縁部４３の粘膜に対してピントが合い、観察画像が明瞭となる。
【００６９】
（効果）
以上、説明したように本実施の形態によれば、細径で、フード部材３７が破損し難く、挿入性が良く、観察画像においてフード部材３７の見えが少なくて観察性能の良い内視鏡装置を提供できる。又、本実施の形態によれば、フード部材３７が粘膜に当接した場合でも、観察性能の良い内視鏡装置を提供できる。
【００７０】
尚、図１乃至図６に示した本実施の形態においては、フード部材３７の回転方向の位置を合わせるための指標を、ノズル係合溝４２を設けずに、例えば先端縁部４３に設けても良い。この時、指標を合わせる先端部１７側の目印としては、先端部１７側にも指標を付けても良いし、先端部１７の送気送水ノズル１８や吸引口１９や観察光学系３４に合わせる構成としても良い。
【００７１】
フード部材３７が内視鏡２と別体の場合には、フード部材３７の取り付け位置や、観察画像への見え方にばらつきが生じ易いが、各位置に応じた観察視野領域に対応した斜面部を設けることによって、突出長をできるだけ長く形成することにより、ばらついた場合でも、突出長を長く確保できる。
【００７２】
又、本実施の形態によれば、軸方向や回転方向の位置決め手段や、指標を設けることにより、斜面部が観察視野領域に応じた適正な位置に配置してフード部材３７を取り付けることを容易に行える。
【００７３】
（第２の実施の形態）
図９は本発明の第２の実施の形態に係る内視鏡の先端部を一部を切り欠いて示す側面図である。
【００７４】
（構成）
図９に示す第２の実施の形態で図２に示した第１の実施形態と異なるのは、フード部材１３７が先端部１７に一体に形成されていることである。
【００７５】
図９に示すように、フード部材１３７はポリサルフォン等の硬質樹脂にて形成されており、先端部１７の内部の金属部品１１７を覆う絶縁カバーを兼ねている。
【００７６】
先端部１７の観察光学系３４は、図６に示した第１の実施の形態と同様の観察視野領域４７を有している。
【００７７】
フード部材１３７の先端縁部１４３には、観察視野領域４７の斜面４８に対応した斜面部１４９が各位置に設けられている。
【００７８】
フード部材１３７の先端縁部１４３には図１乃至図６に示した第１の実施の形態と同様にそれぞれの位置における観察視野領域４７の斜面４８に対応した斜面部１４９が設けられている。
【００７９】
又、先端縁部１４３の外周側の縁部にはＲ１ｍｍ程度の面取り７１が形成されている。
【００８０】
本実施形態では斜面部１４９をなるべく広く形成し、できるかぎり先端縁部１４３の肉厚を大きく形成している
（作用）
フード部材１３７を先端部１７と一体に形成する場合には、切れや摩耗等の耐性の観点から軟質部材よりも硬質部材の方が耐久性が良くなる。
【００８１】
フード部材１３７を硬質部材で形成した場合には、軟質部材で形成した場合に比べて衝撃等によって先端縁部１４３が破損し易くなるが、第２の実施の形態では、先端縁部１４３の肉厚を厚く形成でき、面取り７１が大きなＲ形状にできるので硬質であっても十分破損し難くすることができる。
【００８２】
（効果）
以上、説明したように第２の実施の形態によれば、図１乃至図６に示した第１の実施の形態と同様の効果があるとともに、フード部材１３７を硬質部材で形成した場合にも十分破損し難くすることができる。
【００８３】
（第３の実施の形態）
図１０及び図１１は本発明の第３の実施の形態に係り、図１０は内視鏡の先端部の突出部を示す側面図、図１１はモニタに表示される観察画像を示す平面図である。
【００８４】
（構成）
図１０に示すように、本実施の形態の内視鏡の先端部に設けられたフード部材２３７の突出部２３８では、観察視野領域４７の斜面４８に対して先端縁部２４３の先端部が微少量だけ重なる形状に形成されている部分２４３ａを有している。即ち、部分２４３ａは観察視野領域４７にはみ出している。
【００８５】
そして、図６に示した対角方向Ｘの観察視野の中心から遠位値の範囲での観察視野領域４７に対する先端縁部２４３の重なり量ｘはその他の位置での重なり量ｙよりも大きく形成されている。即ち、図１１に示すように、重なり量ｘ、ｙは、観察光学系３４の収差を考慮して、観察画像４６上での先端縁部２４３の見える量が均一になるように形成されている。
【００８６】
（作用）
本実施の形態において、図６に示した対角方向Ｘの観察視野の中心より遠位値の範囲では、観察光学系３４の収差により、最も像が圧縮される。このため、図１１に示すように、モニタ６の観察画像４６では、対角方向Ｘの斜面４８から突出して観察視野領域４７に重なった先端縁部２４３の像２４３ｂ，２４３ｃは圧縮される。これにより、先端縁部２４３の像２４３ｂ，２４３ｃは、その他の位置において観察視野領域４７に重なった先端縁部２４３の像２４３ｄと観察画像４６上での見え方に大きな差はなくなる。
【００８７】
このため、観察視野への影響を最小にしてフード部材２３７の突出長もしくは肉厚を大きく形成できるようになる。
【００８８】
（効果）
以上、説明したように本実施の形態によれば、図１乃至図６に示した実施の形態と同様の効果があるとともに、更にフード部材２３７の突出長を長くもしくは肉厚を大きく形成して、挿入性もしくは耐久性の良い内視鏡装置を提供できる。
【００８９】
（第４の実施の形態）
図１２は本発明の第４の実施の形態に係るモニタに表示される観察画像を示す平面図である。第４の実施の形態に係る内視鏡の先端部の突出部の形状は、図１０を代用して説明する。
【００９０】
（構成）
本実施の形態では、対角方向Ｘの観察視野の中心から遠位値の範囲でのみ図１０に示す観察視野領域４７の斜面４８に対して先端縁部２４３の先端部が微少量だけ重なる形状に形成されている部分を有している。これにより、図１２に示すように、モニタ６の観察画像４６では、対角方向Ｘの斜面４８から突出して観察視野領域４７に重なった先端縁部２４３の像２４３ｂ，２４３ｃ，２４３ｅが表示される。
【００９１】
（作用）
本実施の形態において、モニタ６の観察画像４６では、圧縮率が高く、画角の大きい対角方向Ｘの部分の視野は若干小さくなってしまうが、圧縮率が低く、元々画角の小さい他の部分の視野を更に小さくすることなく、フード部材２３７の突出長もしくは肉厚を大きく形成できるようになる。
【００９２】
（効果）
以上、説明したように第４の実施の形態によれば、図１０及び図１１に示した第３の実施の形態と同様の効果があるとともに、更に観察性能の良い内視鏡装置を提供できる。
【００９３】
第１の実施の形態から第４の実施の形態においては、観察画像の形状が非円形のものとして、図１３、図１４、図１５、図１６に示すような観察画像を有する内視鏡装置において適用できる。
【００９４】
図１３：観察画像４６は正方形又は長方形で、角部に丸められている略四角形
図１４：モニタ６の画面全体に観察画像４６が表示される四角形
図１５：円形の上下を切り取った形状の略四角形
図１６：円形の上下、左右を切り取った形状の略四角形
（第５の実施の形態）
図１７乃至図２０は本発明の第５の実施の形態に係り、図１７はフード部材を示す断面図、図１８はフード部材を取り付けたフード部材装着具を示す断面図、図１９は図１８のフード部材装着具を用いてフード部材を内視鏡の先端部に取り付けた状態を示す断面図、図２０は図１９の状態からフード部材装着具を取り外した状態を示す断面図である。
【００９５】
（構成）
図１７に示すように、フード部材５０は、略円筒状であり、内視鏡の先端部に着脱自在になっている。フード部材５０は、シリコンゴムやフッ素ゴム等の加硫ゴム、ウレタン系エラストマー、アクリル系エラストマー、オレフィン系エラストマー等の熱可塑性エラストマー等の軟性部材やポリサルフォン等の硬質樹脂により形成することが可能である。本実施の形態ではフード部材５０は、軟性部材から形成している。
【００９６】
フード部材５０には突出部５１と内視鏡固定部５２とが設けられている。
フード部材５０の内視鏡固定部５２の内径は、図１９に示す内視鏡の先端部１７の外径と略同一、若しくは若干小さく形成されている。これにより、内視鏡固定部５２は、弾性変形により先端部１７が圧入可能に形成されている。
【００９７】
図１８に示すように、フード部材装着具５３は、内視鏡の挿入部の先端部１７に着脱自在なフード部材５１を装着するためものである。
【００９８】
フード部材装着具５３には、フード部材固定部５４と把持部５５とが設けられている。
【００９９】
フード部材固定部５４の外径は突出部５１の内径と略同一に形成されている。これにより、フード部材固定部５４は突出部５１が外嵌可能になっている。
【０１００】
フード部材固定部５４の基端部にはフード部材当接部５６が設けられている。フード部材固定部５４の先端側には先端部当接部５７が設けちれている。
【０１０１】
フード部材当接部５６と先端部当接部５７との間の長さＬ１１は、先端部１７にフード部材５０を装着した際に、観察視野に見えるフード部材５０の量が許容でき、かつ、図２０に示すフード部材５０の効果が最大となるような最適な先端部１７からの突出部５１の突出量Ｌ１２と同量に設定されている。
このような構造により、フード部材当接部５６は、前記フード部材５０の位置を規制するフード部材規制手段となり、先端部当接部５７は、前記先端部１７の位置を規制する先端部規制手段となり、フード部材装着具５３は、前記フード部材５０を前記先端部に装着する場合に、前記先端部１７に対する前記フード部材５０の装着位置を規制する。
【０１０２】
（作用）
フード部材５０の先端部１７への装着の際には、図１８に示すようにフード部材５０の突出部５１にフード部材装着具５３のフード部材固定部５４を挿入し、フード部材当接部５６と突出部５１の先端部とが突き当たるまで挿入する。
【０１０３】
次に、図１９に示すようにフード部材５０の内視鏡固定部５２に先端部１７を圧入し、先端部当接部５７と先端部１７とが突き当たるまで挿入する。
【０１０４】
先端部当接部５７と先端部１７とが突き当り、フード部材当接部５６と突出部５１の先端部とが突き当たったら、図２０に示すようにフード部材５０からフード部材装着具５３を取り外す。
【０１０５】
又、以下の順序で装着しても良い。
先ず、フード部材５０の内視鏡固定部５２に先端部１７を適当量圧入する。この後、フード部材５０の突出部５１にフード部材装着具５３のフード部材固定部５４を挿入する。
【０１０６】
次に、フード部材当接部５６と突出部５１の先端部とが突き当るとともに先端部当接部５７と先端部１７とが突き当るように、フード部材５０の位置を調整した後、フード部材装着具５３を取り外す。
【０１０７】
以上により、図２０に示すように、フード部材５０は先端部１７に対する適正な突出量Ｌ１２となる位置に軸方向の位置が規定されて先端部１７に固定される。
【０１０８】
（効果）
以上、説明したように第５の実施の形態によれば、確実かつ容易にフード部材５０の軸方向の位置を規定して先端部１７に装着でき、観察性能が良く、フード部材の装着が容易なフード部材装着具５３を提供できる。
【０１０９】
(第６の実施の形態)
図２１は本発明の第６の実施の形態に係るフード部材装着具を用いたフード装着方法を示す説明図である。
【０１１０】
（構成）
図２１に示すように、３種類の内視鏡２ａ、２ｂ、２ｃはそれぞれの先端部１７ａ、１７ｂ、１７ｃの外径が略同一である。
【０１１１】
一方、これらは先端部１７ａ、１７ｂ、１７ｃは、図２に示した観察光学系３４、照明光学系３５、送気送水ノズル１８、吸引口１９等のレイアウトが異なっている。
【０１１２】
又、観察光学系３４を構成する図示しないレンズの構成やＣＣＤの違いや、ビデオプロセッサ５の制御によるモニタ６の観察画像４６の表示形状などの違いによって、図１に示したモニタ６に表示される観察画像の観察視野領域がそれぞれ異なっている。
【０１１３】
このため、一種類のフード部材５０ａを３種類の先端部１７ａ、１７ｂ、１７ｃに取り付けた際に、突出部５１の先端部１７からの突出量が同じ場合には、それぞれ観察画像に見えるフード部材５０ａの量が異なってしまう。
【０１１４】
一方、フード部材５０ａは内視鏡２ａ、２ｂ、２ｃのそれぞれに共通して使用可能である。
【０１１５】
フード部材５０ａを先端部１７ａ、１７ｂ、１７ｃに取り付けた際に、観察画像に見えるフード部材５０の量が許容でき、かつ、フード部材の効果が最大となるような最適な突出量Ｌ１２は内視鏡２ａ、２ｂ、２ｃとの組み合わせにおいて固有にある。これをそれぞれＬ１２ａ、Ｌ１２ｂ、Ｌ１２ｃとする。
【０１１６】
これらの内視鏡２ａ、２ｂ、２ｃにフード部材５０ａを装着する際には、それぞれ専用のフード部材装着具５３ａ、５３ｂ、５３ｃを使用する。
【０１１７】
フード部材装着具５３ａ、５３ｂ、５３ｃのフード部材当接部５６と先端部当接部５７との間の長さＬ１１ａ、Ｌ１１ｂ、Ｌ１１ｃは、それぞれ前記突出量Ｌ１２ａ、Ｌ１２ｂ、Ｌ１２ｃと同量に形成されている。
【０１１８】
把持部５５にはそれぞれの内視鏡の名称や型番、フード部材５０ａの名称や型番、メーカー名等が成形や印刷等によって表示された表示部５８ａ、５８ｂ、５８ｃが設けられている。
【０１１９】
（作用）
フード部材５０ａを装着する装着の際には、表示５８の内容を確認して、各内視鏡に対応したフード部材装着具を選択する。
【０１２０】
装着の手順は図２０に示した第５の実施の形態と同様である。
各内視鏡２ａ、２ｂ、２ｃにおいて、フード部材５０ａは先端部１７ａ、１７ｂ、１７ｃに対して、それぞれ適正な突出量Ｌ１２ａ、Ｌ１２ｂ、Ｌ１２ｃに軸方向の位置が規定されて固定される。
【０１２１】
（効果）
このような第６の実施の形態によれば、図１７乃至図２０に示した第５の実施の形態と同様の効果に加え、共通のフード部材を、異なる内視鏡の先端部のそれぞれにおいて最適な位置に装着することができる。
【０１２２】
(第７の実施の形態)
図２２は本発明の第７の実施の形態に係るフード部材装着具を用いてフード部材を内視鏡の先端部に取り付けた状態を示す断面図である。図２２においては、図１９の実施の形態と同様の構成要素には同じ符号を付して説明を省略している。
【０１２３】
（構成）
図２２に示すように、フード部材装着具３５３には円筒状の外径規制部５９が設けられている。
【０１２４】
外径規制部５９の内径Ｄ１はフード部材５０の突出部５１の外径Ｄ２と略同一であり、外径規制部５９は突出部５１が挿入可能に形成されている。
【０１２５】
（作用）
フード部材５０をフード部材装着具３５３に装着する際には、フード部材５０の突出部５１をフード部材固定部５４と外径規制部５９との間に挿入する。
【０１２６】
次に、図１９の場合と同様に、フード部材５０の内視鏡固定部５２に先端部１７を圧入し、この後、フード部材５０からフード部材装着具３５３を取り外す。これにより図２０の場合と同様に、フード部材５０は先端部１７に取り付け固定される。
【０１２７】
図２３はフード部材５０の軸方向を反対方向に間違えてフード部材装着具３５３に装着してから先端部１７に装着しようとした場合の作用を説明する説明図である。
【０１２８】
図２３に示すように、本来とは逆にフード部材５０の内視鏡固定部５２をフード部材固定部５４と外径規制部５９との間に挿入する。
【０１２９】
この状態では、次に、フード部材５０の突出部５１に先端部１７を圧入しようとしても、突出部５１の内径は内視鏡固定部５２の内径や先端部１７の外径よりも小さく、かつ、外径規制部５９により突出部５１の変形が規制されるため、突出部５１は拡径することができず、先端部１７を圧入することができなくなる。
【０１３０】
これにより、フード部材５０を本来とは逆に先端部１７に装着するのを防止できる。
【０１３１】
図２４は、フード部材５０の軸方向を反対方向に間違えてフード部材５０を先端部１７に先に装着しようとした場合の作用を説明する説明図である。
【０１３２】
図２４に示すように、フード部材５０の突出部５１に先端部１７を適当量圧入する。
【０１３３】
この時、突出部５１の内径は先端部１７の外径に対して適正ではないが、フード部材５０は弾性変形して拡径して装着されてしまう可能性がある。
【０１３４】
次に、フード部材５０の内視鏡固定部５２にフード部材装着具３５３のフード部材固定部５４を挿入しようとすると、フード部材５０の内視鏡固定部５２は拡径して変形しているため、外径規制部５９に突き当たり、挿入することができない。
【０１３５】
これにより、フード部材５０を本来とは逆の方向で先端部１７に装着するのを防止できる。
【０１３６】
（効果）
このような第７の実施の形態によれば、図１７乃至図２０に示した第５の実施の形態と同様の効果に加え、フード部材の軸方向を逆にして誤装着することを防止できる。
【０１３７】
（第８の実施の形態）
図２５及び図２６は本発明の第８の実施の形態に係り、図２５はフード部材を取り付けたフード部材装着具の閉じた状態を示す断面図、図２６はフード部材装着具を開いた状態を示す斜視図である。
【０１３８】
（構成）
図２５及び図２６に示すように、フード部材装着具４５３はフード部材５０の梱包容器を兼ねている。
【０１３９】
フード部材装着具４５３は本体部６２と、蓋状の収容部６３と、これらを繋ぐヒンジ部６４を有している。
【０１４０】
又、フード部材装着具４５３は、エチレンオキサイドガス滅菌、オートクレーブ滅菌やガンマ線滅菌等の滅菌処理が可能な樹脂部材にて形成されている。例えば、フード部材装着具４５３は、エチレンオキサイドガス滅菌が可能なポリスチレンにて形成されている。
【０１４１】
本体部６２には、図１８に示したものと同様のフード部材固定部５４が設けられており、予めフード部材５０が固定されている。
【０１４２】
フード部材固定部５４の外径は突出部５１の内径よりも若干大きく形成されており、フード部材固定部５４は突出部５１に圧入されている。突出部５１は自身の弾性力によりフード部材固定部５４に固定されている。フード部材固定部５４の外径は、突出部５１とフード部材固定部５４との固定力が内視鏡固定部５２と図１９に示した先端部１７との固定力よりも小さくなるように寸法設定されている。又、本体部６２には図１９に示したものと同様のフード部材当接部５６、先端部当接部５７が設けられている。
【０１４３】
本体部６２には、凸部６５が設けられ、収容部６３には凸部６５を着脱自在に係止する係止部６６が設けられている。
【０１４４】
フード部材装着具４５３は、凸部６５は係止部６６に係合して係止されることにより、本体部６２と収容部６３が係止され、これらにより図２５に示すようにフード部材５０を収容している。
【０１４５】
フード部材装着具４５３は、上述した滅菌処理が可能で、一定期間内容物の滅菌状態を保つことが可能なピールパック等に収容されており、この状態で滅菌処理されてユーザーに届けられる。
【０１４６】
（作用）
フード部材５０を図１９に示した先端部１７に装着する際には、ピールパックを開封して図２５に示す状態のフード部材装着具４５３を取り出し、図２６に示すように本体部６２と収容部６３の係止を外してフード部材５０を露出させる。フード部材装着具４５３により、この時までフード部材５０の滅菌状態が保たれる。
【０１４７】
次に、内視鏡固定部５２に図１９に示した先端部１７を挿入して、第５の実施の形態と同様にしてフード部材５０を先端部１７に位置決め固定し、フード部材装着具４５３をフード部材５０から外す。この際には、フード部材固定部５４の外径が突出部５１とフード部材固定部５４との固定力が内視鏡固定部５２と先端部１７との固定力よりも小さくなるように寸法設定されているので、フード部材５０を手指で把持しなくても、フード部材５０と先端部１７との位置がずれることなくフード部材５０からフード部材装着具４５３を外すことができる。
【０１４８】
以上により、フード部材５０を手指でフード部材装着具４５３から取り外すことなく、また、フード部材５０に触れることなく先端部１７に装着する。
【０１４９】
（効果）
このような第８の実施の形態によれば、図１７乃至図２０に示した第５の実施の形態と同様の効果に加え、検査前にフード部材をフード部材装着具に取り付ける手間が省け、更に容易に装着が行える。また、予めフード部材がフード部材装着具に固定されているので、フード部材の軸方向を逆に誤装着することを防止できる。さらに、内視鏡の使用直前までフード部材を容易に清潔に保つことができる。
【０１５０】
（第９の実施の形態）
図２７は本発明の第９の実施の形態に係るフード部材装着具を用いてフード部材を内視鏡の先端部に取り付けた場合の状態を示す説明図である。
【０１５１】
（構成）
図２７に示すように、フード部材６７の突出部５５１の先端側の先端当接部６８の稜線は観察画像に合わせた花弁型の形状に形成されている。
【０１５２】
フード部材装着具６９のフード部材固定部５５４の基端側には先端当接部６８と略同一の形状を有するフード部材当接部５５６が設けられている。
【０１５３】
フード部材固定部５５４の先端側には先端部当接部５５７が設けられている。フード部材固定部５５４には先端部当接部５５７から突出した円柱状の回転方向規制部７０が設けられている。
【０１５４】
回転方向規制部７０の外径は先端部１７に設けられた吸引口１９の内径と略同一で、吸引口１９に嵌合可能に形成されている。
【０１５５】
（作用）
フード部材６７をフード部材装着具６９に装着する際には、フード部材６７の先端当接部６８が、先端当接部６８と略同形状のフード部材当接部５５６に対応した位置になるようにして、先端当接部６８とフード部材当接部５５６とを当接させる。これにより、フード部材装着具６９に対するフード部材６７の回転方向の位置を所定の位置にする。
【０１５６】
次に、内視鏡２の吸引口１９と回転方向規制部７０が嵌合するようにフード部材装着具６９と先端部１７との回転方向の位置を合わせて、先端部１７と先端部当接部５５７とを当接させた位置でフード部材６７を先端部１７に固定する。
【０１５７】
これにより、フード部材当接部５５６によってフード部材６７とフード部材装着具６９との回転方向の位置が規制されるとともに軸方向の位置も規制される。
【０１５８】
一方、内視鏡固定部５５２と先端部１７との嵌合と回転方向規制部７０と吸引口１９との嵌合によって、これらの回転方向の位置が規制される。又、先端部当接部５５７と先端部１７の当接によって、これらの軸方向の位置が規制される。
【０１５９】
以上により、先端当接部６８は、先端部１７に対する適正な突出量Ｌ３１となる位置に軸方向の位置が規定され、かつ観察画像に対応した状態に回転方向の位置が規制して装着される。
【０１６０】
（効果）
このような第９の実施の形態によれば、確実かつ容易に先端当接部６８の軸方向及び回転方向の位置を規定して先端部１７に装着でき、観察性能が良く、フード部材の装着が容易なフード部材装着具が提供できる。
【０１６１】
尚、前記回転方向規制部７０は、吸引口１９と係合させて回転方向の規制を行う構成としたが、回転方向規制部７０としては、先端部１７の先端面に突出した送気送水ノズル１８に係合する回転方向規制部を設けても良く、このように先端部１７の先端面の中心以外の位置に設けられた吸引口１９のような凹部、若しくは送気送水ノズル１８のような凸部に係合する回転位置規制部を設ければ良い。
【０１６２】
これにより回転方向の位置を規制する規制部を先端部１７の外周部に設けなくて良く、複雑な規制部を新たに設けなくてよいため、細径となる。
【０１６３】
又、内視鏡２側には、位置決めのための新たな構成は必要ないので、既存の内視鏡２にも適用でき、汎用性が高い。
【０１６４】
尚、凹部や凸部を先端部１７に吸引口１９や送気送水ノズル１８とは別に設けても良い。尚、フード部材装着具６９は、第８の実施の形態のように構成しても良い。
【０１６５】
［付記］
以上詳述したような本発明の上記実施の形態によれば、以下の如き構成を得ることができる。
【０１６６】
（付記項１）  内視鏡の挿入部先端部に、前記内視鏡の観察視野方向に突出する突出部を有するフード部材を設け、前記内視鏡の観察画像の形状が非円形の内視鏡装置において、
前記突出部の先端縁部に前記内視鏡の観察視野領域に対応した形状の斜面部を形成したことを特徴とする内視鏡装置。
【０１６７】
（付記項２）  前記突出部は少なくとも一つの切り欠き部を有することを特徴とする付記項１に記載の内視鏡装置。
【０１６８】
（付記項３）  前記観察画像の中心から遠位置の範囲の少なくとも一部における前記突出部の前記観察視野領域への重なり量を、その他の範囲における前記突出部の前記観察視野領域への重なり量よりも大きく形成したことを特徴とする付記項１及び２のいずれか一に記載の内視鏡装置。
【０１６９】
（付記項４）  前記観察画像の形状が略四角形であり、前記観察画像の少なくとも１つの角部近傍の範囲における前記突出部の前記観察視野領域への重なり量を、前記観察画像の辺部近傍の範囲における前記突出部の前記観察視野領域への重なり量よりも大きく形成したことを特徴とする付記項３に記載の内視鏡装置。
【０１７０】
（付記項５）  前記観察画像の少なくとも１つの角部近傍の範囲においては前記突出部を前記観察視野領域に入れて、前記観察画像の辺部近傍の範囲においては前記突出部を前記観察視野領域に入らない形状に前記突出部を形成したことを特徴とする付記項４に記載の内視鏡装置。
【０１７１】
（付記項６）  前記突出部の前記観察光学系の最先端レンズ面からの最大突出量は、前記観察光学系の最小観察深度以上の長さに形成したことを特徴とする付記項１乃至５のいずれか一に記載の内視鏡装置。
【０１７２】
（付記項７）  前記フード部材が前記内視鏡の先端部と着脱自在に形成されていることを特徴とする付記項１乃至６のいずれか一に記載の内視鏡装置。
【０１７３】
（付記項８）  前記フード部材が前記内視鏡の先端部と着脱自在に形成され、これらの位置決めを行う位置決め手段を設けたことを特徴とする付記項７に記載の内視鏡装置。
【０１７４】
（付記項９）  前記フード部材が前記内視鏡の先端部と着脱自在に形成され、これらの固定位置を示す指標を設けたことを特徴とする付記項７に記載の内視鏡装置。
【０１７５】
（付記項１０）  内視鏡の挿入部の先端部に着脱自在なフード部材を装着するためのフード部材装着具において、
前記フード部材の位置を規制するフード部材規制手段と、
前記先端部の位置を規制する先端部規制手段と、
を具備し、前記フード部材を前記先端部に装着する場合に、前記先端部に対する前記フード部材の装着位置を規制することを特徴とするフード部材装着具。
【０１７６】
（付記項１１）  前記フード部材規制手段は前記フード部材の軸方向の位置を規制するフード部材軸方向規制部を有し、前記先端部規制手段は前記先端部の前記軸方向の位置を規制する先端部軸方向規制部を有することを特徴とする付記項１０に記載のフード部材装着具。
【０１７７】
（付記項１２）  前記フード部材規制手段は前記フード部材の回転方向の位置を規制するフード部材回転方向規制部を有し、前記先端部規制手段は前記先端部の前記回転方向の位置を規制する先端部回転方向規制部を有することを特徴とする付記項１０及び１１のいずれか一に記載のフード部材装着具。
【０１７８】
（付記項１３）  前記先端部回転方向規制部は前記先端部の先端面に設けられた凹部または凸部の何れかと係合する係合部であることを特徴とする付記項１２に記載のフード部材装着具。
【０１７９】
（付記項１４）  前記先端部回転方向規制部は前記先端部に開口した吸引口または前記先端部に突出した流体噴出ノズルと係合する係合部であることを特徴とする付記項１３に記載のフード部材装着具。
【０１８０】
（付記項１５）  前記フード部材を収容するフード収容部を具備することを特徴とする付記項１０乃至１４のいずれか一に記載のフード部材装着具。
【０１８１】
（付記項１６）  前記フード部材を着脱自在に固定するフード部材固定部を具備する付記項１０乃至１５のいずれか一に記載のフード部材装着具。
【０１８２】
【発明の効果】
以上述べたように本発明によれば、内視鏡の挿入部の先端部に容易且つ正確にフード部材を装着できるという効果を有する。
【図面の簡単な説明】
【図１】本発明の第１の実施の形態に係る内視鏡装置の全体構成を示す説明図。
【図２】図１の第１の実施の形態の先端部の断面図。
【図３】図１の第１の実施の形態の内視鏡の先端部の正面図。
【図４】図１の第１の実施の形態の内視鏡の先端部に着脱自在に接続されるフード部材を示す側面図。
【図５】図１の第１の実施の形態のモニタに表示される観察画像を示す平面図。
【図６】図５の観察画像を表示する場合の観察視野領域を示す説明図。
【図７】図１の第１の実施の形態の突出部の作用を説明する第１の説明図。
【図８】図１の第１の実施の形態の突出部の作用を説明する第２の説明図。
【図９】本発明の第２の実施の形態に係る内視鏡の先端部を一部を切り欠いて示す側面図。
【図１０】本発明の第３の実施の形態に係る内視鏡の先端部の突出部を示す側面図。
【図１１】図１０の第３の実施の形態のモニタに表示される観察画像を示す平面図。である。
【図１２】本発明の第４の実施の形態に係る内視鏡装置のモニタに表示される観察画像を示す平面図。
【図１３】第１の実施の形態から第４の実施の形態に用いることが可能な形状が非円形の観察画像の第１の例を示す平面図。
【図１４】第１の実施の形態から第４の実施の形態に用いることが可能な形状が非円形の観察画像の第２の例を示す平面図。
【図１５】第１の実施の形態から第４の実施の形態に用いることが可能な形状が非円形の観察画像の第３の例を示す平面図。
【図１６】第１の実施の形態から第４の実施の形態に用いることが可能な形状が非円形の観察画像の第４の例を示す平面図。
【図１７】本発明の第５の実施の形態に係るフード部材装着具で用いるフード部材を示す断面図。
【図１８】本発明の第５の実施の形態に係るフード部材装着具を示す断面図。
【図１９】図１８のフード部材装着具を用いてフード部材を内視鏡の先端部に取り付けた状態を示す断面図。
【図２０】図１９の状態からフード部材装着具を取り外した状態を示す断面図。
【図２１】本発明の第６の実施の形態に係るフード部材装着具を用いたフード装着方法を示す説明図。
【図２２】本発明の第７の実施の形態に係るフード部材装着具を用いてフード部材を内視鏡の先端部に取り付けた状態を示す断面図。
【図２３】図２２の第７の実施の形態においてフード部材の軸方向を反対方向に間違えてフード部材装着具に装着した場合の作用を説明する説明図。
【図２４】図２２の第７の実施の形態においてフード部材の軸方向を反対方向に間違えてフード部材装着具に装着した場合の作用を説明する説明図。
【図２５】本発明の第８の実施の形態に係るフード部材装着具を示す断面図。
【図２６】図２５のフード部材装着具を開いた状態を示す斜視図。
【図２７】本発明の第９の実施の形態に係るフード部材装着具を用いてフード部材を内視鏡の先端部に取り付けた場合の状態を示す説明図。
【符号の説明】
１          …内視鏡装置
２          …内視鏡
３          …光源装置
４          …信号ケーブル
５          …ビデオプロセッサ
６          …モニタ
７          …挿入部
１７        …先端部
３４        …観察光学系
３７        …フード部材
３８        …突出部
３９        …内視鏡固定部
４３        …先端縁部
４７        …観察視野領域
４８        …斜面
４９        …斜面部
５０        …フード部材
５３        …フード装着具
５６        …フード部材当接部
５７        …先端部当接部
【図１】
0003645224.tif 000002
【図２】
0003645224.tif 000003
【図３】
0003645224.tif 000004
【図４】
0003645224.tif 000005
【図５】
0003645224.tif 000006
【図６】
0003645224.tif 000007
【図７】
0003645224.tif 000008
【図８】
0003645224.tif 000009
【図９】
0003645224.tif 000010
【図１０】
0003645224.tif 000011
【図１１】
0003645224.tif 000012
【図１２】
0003645224.tif 000013
【図１３】
0003645224.tif 000014
【図１４】
0003645224.tif 000015
【図１５】
0003645224.tif 000016
【図１６】
0003645224.tif 000017
【図１７】
0003645224.tif 000018
【図１８】
0003645224.tif 000019
【図１９】
0003645224.tif 000020
【図２０】
0003645224.tif 000021
【図２１】
0003645224.tif 000022
【図２２】
0003645224.tif 000023
【図２３】
0003645224.tif 000024
【図２４】
0003645224.tif 000025
【図２５】
0003645224.tif 000026
【図２６】
0003645224.tif 000027
【図２７】
0003645224.tif 000028